(57)【要約】      （修正有）【課題】完全被覆型フェイスフィルターマスクを提供する。【解決手段】完全被覆型フェイスフィルターマスクは、相互に連通するチャンバー１２、吸気口１５、及び排気口１７を有する本体１０を備え、本体１０は概ね人体の顔の輪郭を呈し、チャンバー１２には人体の顔を収容可能であり、チャンバー１２の縁端には軟性材質で製造する接合フレーム２０を設置する。これにより、本体１０を人体の顔に覆設すると、人体の顔がチャンバー１２に完全に収容され、接合フレーム２０が人体の顔の周囲に密着し、本体１０が人体の顔を外界の環境から全面的に隔絶し、外界の大気汚染物質や病原菌が人体の顔に直接接触しなくなり、人体を感染から守り、疾病を予防する。【選択図】図１
0003229407.tif 000002
【実用新案登録請求の範囲】
【請求項１】
チャンバー及び前記チャンバーを包囲する縁端を有する本体であって、前記本体は吸気口及び排気口を有し、前記吸気口及び前記排気口は共に前記チャンバーに連通し、前記本体は概ね人体の顔の輪郭を呈し、前記チャンバーは前記人体の顔を収容可能であることと、
軟性材質で製造し、前記チャンバーの縁端に沿って前記本体に設置する接合フレームと、を備え、
これにより、前記本体を前記人体の顔に覆設すると、前記人体の顔が前記チャンバーに完全に収容され、前記接合フレームが前記人体の顔の周囲に密着し、前記本体が前記人体の顔を外界から隔絶することを特徴とする完全被覆型フェイスフィルターマスク。
【請求項２】
前記吸気口は前記本体の底側に位置し、前記排気口は前記本体の上側に位置することを特徴とする請求項１に記載の完全被覆型フェイスフィルターマスク。
【請求項３】
前記吸気口及び前記排気口には共に逆止弁を設けていることを特徴とする請求項１に記載の完全被覆型フェイスフィルターマスク。
【請求項４】
前記吸気口及び前記排気口には共に濾過部材を設けていることを特徴とする請求項１に記載の完全被覆型フェイスフィルターマスク。
【請求項５】
前記本体は透明プラスチック材質で製造することを特徴とする請求項１に記載の完全被覆型フェイスフィルターマスク。
【請求項６】
前記接合フレームはPETフィルム、PE材料、またはシリコーン材料で製造することを特徴とする請求項１に記載の完全被覆型フェイスフィルターマスク。
【請求項７】
前記本体にはバンドまたは他の類似する固定用品を設置する連接部を設けていることを特徴とする請求項１に記載の完全被覆型フェイスフィルターマスク。
【考案の詳細な説明】
【技術分野】
【０００１】
本考案は、フィルターマスクに関し、更に詳しくは、完全被覆型フェイスフィルターマスクに関する。
【背景技術】
【０００２】
大気中の粒子状物質等の汚染物質が人体に進入しないように隔絶するのみならず、身体に付着している病原菌が他人に飛沫感染するのを防止するという公共衛生目的のため、マスクを着用することが医療関係者以外の人々にとっても必須の習慣と化している。インフルエンザの流行期やパンデミックの時期等の個人の健康管理が必要になる時期には、健康な一般市民であっても日常的にマスクを着用することが求められている。
【考案の概要】
【考案が解決しようとする課題】
【０００３】
しかしながら、従来のマスクは顔の部分的部位のみを遮蔽し、特に鼻口部位のみを遮蔽するが、外界の飛沫、汚染物質、病原菌等が顔の遮蔽されていない部位に接触する可能性があるため、マスクのフィルターの実用性及び遮蔽効果が低下した。
【０００４】
そこで、本考案者は上記の欠点が改善可能と考え、鋭意検討を重ねた結果、合理的設計で上記の課題を効果的に改善する本考案の提案に到った。
【０００５】
かかる従来の実情に鑑みて、本考案は、完全被覆型フェイスフィルターマスクを提供することを目的とする。
【課題を解決するための手段】
【０００６】
上記目的を達成するための主たる考案は、
チャンバー及び前記チャンバーを包囲する縁端を有する本体であって、前記本体は吸気口及び排気口を有し、前記吸気口及び前記排気口は共に前記チャンバーに連通し、前記本体は概ね人体の顔の輪郭を呈し、前記チャンバーは前記人体の顔を収容可能であることと、
軟性材質で製造し、前記チャンバーの縁端に沿って前記本体に設置する接合フレームと、を備え、
これにより、前記本体を前記人体の顔に覆設すると、前記人体の顔が前記チャンバーに完全に収容され、前記接合フレームが前記人体の顔の周囲に密着し、前記本体が前記人体の顔を外界から隔絶することを特徴とする完全被覆型フェイスフィルターマスクである。
【０００７】
好ましくは、前記吸気口は前記本体の底側に位置し、前記排気口は前記本体の上側に位置する。
【０００８】
好ましくは、前記吸気口及び前記排気口には共に逆止弁を設けている。
【０００９】
好ましくは、前記吸気口及び前記排気口には共に濾過部材を設けている。
【００１０】
好ましくは、前記本体は透明プラスチック材質で製造する。
【００１１】
好ましくは、前記接合フレームはPETまたはPE材質で製造する。
【００１２】
好ましくは、前記本体にはバンドまたは他の類似する固定用品を設置する連接部を設けている。
【考案の効果】
【００１３】
本考案によれば、人体の顔を外界の環境から完全に隔絶し、外界の大気汚染物質や病原菌が人体の顔に直接接触しないようにし、人体を感染から守り、疾病を予防し、健康を促進する。
【００１４】
本明細書及び図面の記載により、少なくとも、以下の事項が明らかとなる。
【図面の簡単な説明】
【００１５】
【図１】本考案の一実施形態によるフェイスフィルターマスクを後部から見た背面図である。
【図２】図１のＡ−Ａ線に沿う断面図である。
【図３】本考案の一実施形態によるフェイスフィルターマスクを底部から見た底面図である。
【考案を実施するための形態】
【００１６】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１７】
ちなみに、本考案は様々な個人のフィルター用途に広く適用可能であり、全面的且つ全体的に顔をフィルターする用途に使用するものであれば本考案の適用範囲となる。本分野の技術者ならば、本実施方式の説明用語が応用方式を制限しない上位の表現であることが分かり、例えば、構造、形状、方向、或いは設置方式等の用語を含むが記述内容に限定されず、且つ組み合わせられる構造の操作方式も制限しない。
【００１８】
次に、図１〜３を参照しながら、本考案の完全被覆型フェイスフィルターマスクをさらに詳しく説明する。
【００１９】
本考案に係る完全被覆型フェイスフィルターマスクは、本体１０及び接合フレーム２０を備えている。好ましい本実施例に係る本体１０は透明プラスチック材質で製造するものを例とし、接合フレーム２０は軟性材質で製造するものを例とする。
【００２０】
まず、前記本体１０はチャンバー１２及びチャンバー１２を包囲する縁端１３を有し、好ましい本実施例に係る本体１０は概ね人体の顔の輪郭を呈し、チャンバー１２の空間は人体の顔を収容可能な大きさとなる。本体１０は吸気口１５及び排気口１７を有し、吸気口１５及び排気口１７は共にチャンバー１２に連通する。具体的には、好ましい本実施例に係る吸気口１５は本体１０の顔の顎に対応する位置に位置し、排気口１７は本体１０の顔の額上方に対応する位置に位置し、即ち、吸気口１５は本体１０の底側に位置し、排気口１７は本体１０の上側に位置する。
【００２１】
選択的に、吸気口１５及び排気口１７には共に逆止弁を設け、本体１０内部のガスは底側の吸気口１５からチャンバー１２を経由して上側の排気口１７の流動方向に流れる。また、吸気口１５及び排気口１７のうちの１つまたは両者に濾過部材を設置し、チャンバー１２内部のガスを清浄な状態に保つ。
【００２２】
好ましい本実施例に係る接合フレーム２０は軟性材質で製造し、例えば、PETフィルム、PE材料、シリコーン板体で製造するものを例とする。接合フレーム２０はチャンバー１２の縁端１３に沿って本体１０に設置する。本体１０を人体の顔に覆設すると、人体の顔が接合フレーム２０の中央に入れられると共にチャンバー１２に完全に収容され、接合フレーム２０が人体の顔の周囲に密着し、本体１０が人体の顔を外界の環境から隔絶する。
【００２３】
本体１０が人体の顔を全面的に被覆するため、人体の顔が外界の環境から完全隔絶され、外界の大気汚染物質や病原菌等が人体の顔に接触しなくなる。こうして人体を感染から守り、疾病を予防し、健康を促進するという本考案の目的を達成する。
【００２４】
本体１０にはバンドや他の類似する固定用品を設置する連接部３０を設けている。本体１０はバンドや他の類似する固定用品により頭部に固定し、本体１０の安定性及び安全性を高め、本考案を便利に使用可能にする。
【００２５】
上記説明は、本考案を説明するためのものであって、実用新案登録請求の範囲に記載の考案を限定し、或いは範囲を限縮するように解すべきではない。また、本考案の各部構成は、上記実施例に限らず、実用新案登録請求の範囲に記載の技術的範囲内で種々の変形が可能であることは勿論である。
【符号の説明】
【００２６】
１０  本体
１２  チャンバー
１３  縁端
１５  吸気口
１７  排気口
２０  接合フレーム
３０  連接部
【図１】
0003229407.tif 000003
【図２】
0003229407.tif 000004
【図３】
0003229407.tif 000005